(57)【要約】【課題】カラー陰極線管のシールドカップ電極に発生する渦電流磁界の影響で生じるミスコンバーゼンスを抑制し、且つその試作製造時の製造コストダウン及び製造期間の短縮を可能とするカラー陰極線管を提供する。【解決手段】カラー陰極線管の電子銃と変更ヨークの間に配置されるシールドカップ電極１に形成された３つの電子ビーム通過孔５９のうち、両端の一対の電子ビーム通過孔５９に、それぞれ衝立２ｃ，３ｃを有する折り曲げ体２，３を、スペーサ４，５を介して個別に配設し、衝立２ｃ，３ｃの高さを変えて発生する渦電流磁界の強さを調整する。【選択図】　　　　図１
2004039412.tif 000002
【特許請求の範囲】
【請求項１】
画面の水平方向の一直線上から３本の電子ビームを管軸方向に出力する電子銃と、該電子ビームを少なくとも画面水平方向に偏向する水平偏向磁界を発生する偏向ヨークとを有するカラー陰極線管において、
非磁性体金属で有底円筒形状に形成されて前記電子銃と前記偏向ヨークとの間の前記電子ビームの経路に配置され、底面部に前記３本の電子ビームが別々に通過する３つの電子ビーム通過孔を有するシールドカップ電極本体と、
非磁性体金属で断面コ字状に形成され、底面部に設けた開孔が前記シールドカップ電極本体の前記電子ビーム通過孔に対向し、且つ対向する一対の側壁部が前記水平偏向磁界と交差する位置に配置される２つの衝立部材と
を有し、
該衝立部材を、前記３つの電子ビーム通過孔のうち、両端に位置する電子ビーム通過孔に個別に対応させて配置し、且つ前記シールドカップ電極本体と電気的に接続した状態で固定したことを特徴とするカラー陰極線管。
【請求項２】
更に、非磁性体金属で開孔を有する板状に形成され、該開孔が前記シールドカップ電極本体の前記電子ビーム通過孔に対向する位置で、且つシールドカップ電極本体と前記衝立部材との間に配置されたスペーサを有することを特徴とする請求項１記載のカラー陰極線管。
【請求項３】
厚みの異なる前記スペーサを複数配置したことを特徴とする請求項２記載のカラー陰極線管。
【請求項４】
前記衝立部材を溶接によって前記シールドカップ電極本体に固定したことを特徴とする請求項１乃至３の何れかに記載のカラー陰極線管。
【発明の詳細な説明】
【０００１】
【発明の属する技術分野】
本発明は、カラー陰極線管に関し、特に水平走査数を多くして高細精度を得るために水平偏向周波数を高くした場合に目立つコンバーゼンスの不一致を抑制する対策を施したカラー陰極線管に関する。
【０００２】
【従来の技術】
図４は、従来のカラー陰極線管５０の要部構成を示す側面図である。同図に示すように、カラー陰極線管５０の外囲を構成するガラスバルブは、大きく分けてパネルガラス部５１、ファンネル部５２、及びネック部５３とから構成されている。ネック部５３内には、蛍光画面の水平方向の一直線上から３本の電子ビームを略並列して管軸方向に形成するインライン型電子銃（以下、単に電子銃と称す）５４が配置され、この電子銃５４の先端部の電子ビームの経路にはシールドカップ電極５６が配設されている。ファンネル部５２からネック部５３にかけての外周部には、偏向ヨーク５５が配設されている。
【０００３】
尚、同図中の軸ｘは、電子銃５４の中心を通って、蛍光画面６０の中心と垂直に交わる管軸に相当し、以後管軸ｘと称す。
【０００４】
図５は、シールドカップ電極５６の構成を示す構成図で、同図（ａ）は、このシールドカップ電極５６を蛍光画面６０側からみた正面図であり、同図（ｂ）は同図（ａ）の右方向からみた側面図である。
【０００５】
このシールドカップ電極５６は、非磁性体の導体で、同図に示すように有底円筒状に形成されたシールドカップ電極本体５７と、このシールドカップ電極本体５７に溶接によって固定された非磁性金属の折り曲げ体５８とからなる。シールドカップ電極本体５７の底面部５７ａには、その中心部と中心部を通る直線上に３つの電子ビーム通過孔５９が形成されている。これら各電子ビーム通過孔５９の間隔は、前記した電子銃５４の水平に並んだ３本の電子ビーム６１，６２，６３（図５）の間隔に等しく形成されている。
【０００６】
そして図４に示すように電子銃５４の先端部に配設されるとき、電子ビーム６１，６２，６３の各中心が、管軸ｘ方向において各電子ビーム通過孔５９の各々の中心に位置するように固定される。これらの電子ビーム６１，６２，６３は、左から順に青色蛍光体、緑色蛍光体、及び赤色蛍光体を照射する電子ビームであり、以後、Ｂビーム６１、Ｇビーム６２、Ｒビーム６３と称す。
【０００７】
有底円筒状のシールドカップ電極本体５７の側壁部に相当するシールド部５７ｂは、シールドカップ電極５６が前記した所定位置に配置されたとき、ガラスバルブ壁面の帯電から電子ビームを遮断する。
【０００８】
十字形状の折り曲げ体５８は、その中心部から水平方向に延在する水平方向板部５８ａにおいて、中心部と左右端部に３つの電子ビーム通過孔５８ｂが形成されている。そして、この水平板部５８ａの左右端部の各電子ビーム通過孔５８ｂの両側部には、それぞれ折り曲げによって、蛍光画面６０（図４）方向に突出する衝立５８ｃが形成されている。一方、折り曲げ体５８の中心部から垂直方向に延在する垂直方向板部５８ｄの両端部近傍には溶接部５８ｅが設けられ、この溶接部５８ｅにおいて、シールドカップ電極本体５７の底面部５７ａに溶接により固定される。
【０００９】
折り曲げ体５８の各電子ビーム通過孔５８ｂは、このときシールドカップ電極本体５７の底面部５７ａに形成された電子ビーム通過孔５９とそれぞれ管軸ｘ方向において重なる位置、及び形状に形成されている。
【００１０】
このシールドカップ電極５６は、内部導電膜（図示せず）と電気的に接続されて高電圧が印加され、Ｂビーム６１、Ｇビーム６２、Ｒビーム６３の電子ビームを加速すると共に、電子銃５４（図４）の端部において、これを保持する働きをするが、これらの構成については、その詳細な説明を省略する。
【００１１】
図５に示すように、偏向ヨーク５５（図４）によって、シールドカップ電極５６の近傍に発生する水平偏向磁界６５のうち、管軸ｘ上の電子ビーム通過孔５８ｂを通過するＧビーム６２に作用する磁界は、シールドカップ電極本体５７のシールド部５７ｂに垂直に交叉し、その両側の各電子ビーム通過孔５８ｂを通過するＢビーム６１及びＲビーム６３に作用する磁界は、シールドカップ電極本体５７のシールド部５７ｂと斜めに交叉している。
【００１２】
シールドカップ電極本体５７のシールド部５７ｂには、交叉する水平偏向磁界６５によって渦電流６６が発生し、そしてこの渦電流６６によって、水平偏向磁界６５と逆方向に渦電流磁界６７が発生する。通常、この渦電流磁界６７は、水平偏向磁界がシールド部５７ｂと垂直に交叉するほど大きくなるため、Ｇビーム６２に作用する渦電流磁界は、Ｂビーム６１及びＲビーム６３に作用する渦電流磁界に対して強くなり、Ｂビーム６１とＲビーム６３にはこれより弱くて同程度の渦電流磁界が作用する。
【００１３】
従って、いま、衝立５８ｃがなく、偏向ヨーク５４（図４）によって各ビームに直接作用する水平偏向磁界６５が略等しく形成されると仮定すると、渦電流磁界６７を考慮したときの各ビームに作用する偏向作用は、Ｇビーム６２に対してＢビーム６１及びＲビーム６３の方が大きくなる。
【００１４】
この偏向作用の不均一によって生じるミスコンバーゼンスを、図３を参照しながら説明する。
【００１５】
同図に示すように、蛍光画面６０の左側では、帰線期間に発生した渦電流磁界の影響を受けて、走査線開始直後の各色の縦線の位置に誤差が生ずる。即ち、渦電流磁界の影響を最も受けるＧビーム６２による緑縦線の位置６２ａが、他のＢビーム６１及びＲビーム６３による青縦線６１ａ及び赤縦線６３ａの位置に対して右側にずれる。
【００１６】
一方、走査期間においては、画面の右側に移動するにつれて緑縦線の位置６２ａが、青縦線６１ａ及び赤縦線６３ａに対して相対的に左に移動し、画面中央から右側においては、その位置が青縦線６１ａ及び赤縦線６３ａよりも左側にずれてしまう問題があった。尚、図３にはこのときの状態は示されていない。
【００１７】
以上のように、渦電流磁界の影響によってミスコンバーゼンスが誘発され、特に最近の高精細度なカラー陰極線管おける偏向ヨークのように高周波数で使用される場合には、電子ビームを偏向する際の帰線期間におけるのこぎり波の傾斜がきつく、渦電流磁界の影響がより顕著に出てくる。
【００１８】
【発明が解決しようとする課題】
この問題を解決するため、図５に示すように、Ｂビーム６１及びＲビーム６３が通過する電子ビーム通過孔５８ｂの上下位置に蛍光面６０（図４）方向に突出する衝立５８ｃを設けて磁界の影響を弱め、Ｂビーム６１及びＲビーム６３に対する偏向作用がＧビーム６２に対する偏向作用と同等になるように構成していた。
【００１９】
しかしながら、コンバーゼンスピュリティマグネット（図示せず）で画面中央を補正したり、偏向ヨーク５３の水平偏向コイルの仕様を変更すると、渦電流磁界の影響も変化してバランスが崩れ、その都度、衝立５８ｃの高さ等の形状を変更しなければならなかった。従って、折り曲げ体５８の金型修正によって衝立５８ｃの形状を変更しつつ陰極線管の試作製造を実施することから、金型の修正頻度が増してこれに伴う金型の製作費用が発生し、その製作期間も長期化するなどの問題があった。
【００２０】
本発明の目的は、以上の問題点を解消し、コンバーゼンスピュリティマグネットの調整や、偏向ヨーク５５の仕様が変更された場合にも、新たな折り曲げ体を用意することなく対応し、水平偏向周波数の高い高精細度なカラー陰極線管においても、コンバーゼンスの不一致を抑制できるカラー陰極線管を提供することにある。
【００２１】
【課題を解決するための手段】
請求項１のカラー陰極線管は、画面の水平方向の一直線上から３本の電子ビームを管軸方向に出力する電子銃と、該電子ビームを少なくとも画面水平方向に偏向する水平偏向磁界を発生する偏向ヨークとを有するカラー陰極線管において、
非磁性体金属で有底円筒形状に形成されて前記電子銃と前記偏向ヨークとの間の前記電子ビームの経路に配置され、底面部に前記３本の電子ビームが別々に通過する３つの電子ビーム通過孔を有するシールドカップ電極本体と、非磁性体金属で断面コ字状に形成され、底面部に設けた開孔が前記シールドカップ電極本体の前記電子ビーム通過孔に対向し、且つ対向する一対の側壁部が前記水平偏向磁界と交差する位置に配置される２つの衝立部材と
を有し、該衝立部材を、前記３つの電子ビーム通過孔のうち、両端に位置する電子ビーム通過孔に個別に対応させて配置し、且つ前記シールドカップ電極本体と電気的に接続した状態で固定したことを特徴とする。
【００２２】
請求項２のカラー陰極線管は、請求項１記載のカラー陰極線管において、
更に、非磁性体金属で開孔を有する板状に形成され、該開孔が前記シールドカップ電極本体の前記電子ビーム通過孔に対向する位置で、且つシールドカップ電極本体と前記衝立部材との間に配置されたスペーサを有することを特徴とする。
【００２３】
請求項３のカラー陰極線管は、請求項２記載のカラー陰極線管において、
厚みの異なる前記スペーサを複数配置したことを特徴とする。
また、請求項４のカラー陰極線管は、請求項１乃至３の何れかに記載のカラー陰極線管において、
前記衝立部材を溶接によって前記シールドカップ電極本体に固定したことを特徴とする。
【００２４】
【発明の実施の形態】
実施の形態１．
図１は、本発明のカラー陰極線管に採用されるシールドカップ電極の実施の形態１の構成を示す構成図で、同図（ａ）はその正面図であり、同図（ｂ）は側面図である。
【００２５】
本実施の形態１のシールドカップ電極１は、図５に示す従来のシールドカップ電極５６と全く同様に使用され、図４に示すようにカラー陰極線管５０のネック部５３内において、電子銃５４の蛍光画面６０側の端部に配設される。従って、本実施の形態１のシールドカップ電極１を採用したカラー陰極線管全体の図は省略し、更に本実施の形態１のシールドカップ電極１が図５に示す従来のシールドカップ電極５６と同一或いはそれに相当する構成要素には同符号を付して説明を省略し、異なる点を重点的に説明する。
【００２６】
シールドカップ電極１は、図１に示すように、シールドカップ電極１のシールドカップ電極本体５７の底面部５７ａに形成された３つの電子ビーム通過孔５９のうち、Ｂビーム６１及びＲビーム６３が通過する電子ビーム通過孔５９の部分には、それぞれ折り曲げ体２，３が個別に配設されている。
【００２７】
非磁性体金属材料で形成された折り曲げ体２には、その底面部２ｄに電子ビーム通過孔２ａが形成され、端部から突き出た凸部に設けた溶接部２ｂにおいて、シールドカップ電極本体５７の底面部５７ａに溶接により固定される。折り曲げ体２の電子ビーム通過孔２ａは、このときシールドカップ電極本体５７の底面部５７ａに形成されたＢビーム６１が通過する電子ビーム通過孔５９と管軸ｘ方向において重なる位置、及び形状に形成されている。
【００２８】
この折り曲げ体２の電子ビーム通過孔２ａを挟む上下の２辺からは、折り曲げによってそれぞれ四角形板状の一対の衝立２ｃが蛍光画面６０（図４）方向に延在している。尚、各折り曲げ体２，３は衝立部材に相当し、衝立２ｃ、３ｃが側壁部に相当する。
【００２９】
同様にして、非磁性体金属材料で形成された折り曲げ体３も、その底面部３ｄにビーム通過孔３ａが形成され、端部から突き出た凸部に設けた溶接部３ｂにおいて、シールドカップ電極本体５７の底面部５７ａに溶接により固定される。折り曲げ体３の電子ビーム通過孔３ａは、このときシールドカップ電極本体５７の底面部５７ａに形成されたＲビーム６３が通過する電子ビーム通過孔５９と管軸ｘ方向において重なる位置、及び形状に形成されている。
【００３０】
この折り曲げ体３の電子ビーム通過孔３ａを挟む上下の２辺からは、折り曲げによってそれぞれ四角板形状の一対の衝立３ｃが蛍光画面６０（図４）方向に延在している。
【００３１】
図２（ａ）はこの折り曲げ体３を単体で示し、図２（ｂ）は、この折り曲げ体３の取り付けの際に、高さ調整するための非磁性体金属材料で形成されたスペーサ５の形状を示している。同図に示すように、平板状のスペーサ５には、電子ビーム通過孔５ａと端部から突き出た凸部に溶接部５ｂがそれぞれ形成され、折り曲げ体３の底面部３ｄと略同形状となっている。尚、折り曲げ体２に対しても、その底面部２ｄと同形状のスペーサ４が用意されているものとする。
【００３２】
これらのスペーサ４，５は、折り曲げ体２，３をシールドカップ電極本体５７の底面部５７ａの前記した所定位置に溶接固定する際にその高さ調整用として用いられ、図１（ｂ）に示すように、底面部５７ａと各折り曲げ体２，３の間に配設され、必要に応じて単数或いは複数枚重ねて用いられる。
【００３３】
この折り曲げ体２，３の設置は、各衝立２ｃ，３ｃに対する水平偏向磁界６５の交差によってこの部分にも渦電流を意図的に発生させ、これによって渦電流磁界６７をより強く発生させるものであり、この渦電流磁界の発生によってＢビーム６１及びＲビーム６３にそれぞれビーム偏向の影響を及ぼす。この渦電流磁界の強さは、これらのＢビーム６１及びＲビーム６３へのビーム偏向の影響が、Ｇビーム６２が受けているビーム偏向の影響と同等となるように調整される。
【００３４】
この調整は、折り曲げ体２，３の各衝立２ｃ，３ｃの高さ（管軸ｘ方向の位置）を変えることで実施できる。このため、前記したスペーサ４，５を高さ調整用として用いて最良の高さに設定する。従って、スペーサ４，５としては、厚みが同じものだけでなく、種々の厚みのものを用意し、これらの組み合わせで、枚数はなるべく少なく、且つ精度の高い調整を行うことが望ましい。
【００３５】
次に、画面左右の緑縦線のアンバランス成分の求め方について説明する。図３は、緑縦線の右ずれ量を説明する説明図で、画面中央でスタティックコンバーゼンスを調整した後の状態を示している。この時同図に示すように、後述する理由により、画面左側においては、Ｇビーム６２（図１）による緑縦線６２ａの位置が、他のＢビーム６１及びＲビーム６３による青縦線６１ａ及び赤縦線６３ａの位置に対して、ずれ量Ａだけ右側にずれている。一方、画面右側においても、Ｇビーム６２による緑縦線６２ａの位置が、他のＢビーム６１及びＲビーム６３による青縦線６１ａ及び赤縦線６３ａの位置に対して、ずれ量Ｂだけ右側にずれている。
【００３６】
このずれ量Ａは、前記した帰線期間に発生した渦電流磁界の影響による分と、画面中央でのスタティックコンバーゼンスの調整時に緑縦線６２ａを右にずらして調整することによる調整量がプラスされた量となっている。一方、画面右側は、走査期間の最後に位置するため、渦電流磁界の影響が比較的少ないと考えられる。従って、画面右側におけるずれ量Ｂは、前記した画面中央でのスタティックコンバーゼンスの調整時に緑縦線６２ａを右にずらして調整した分が、そのまま現れたものと考えられる。
【００３７】
次に、上記ずれ量Ａ，Ｂを用いて、緑縦線の右ずれ量Ｈを下式（１）で定義する。
Ｈ＝（Ｂ−Ａ）／２　　　　　（１）
尚、上式において、Ａ，Ｂの極性は、画面の両側において、緑縦線６２ａが青縦線６１ａ及び赤縦線６３ａに対して画面の内側となる場合に（−）となるように定義する。
これにより、上式（１）は、画面左右の緑縦線のアンバランス成分を意味し、Ｈは画面左右の緑縦線の水平方向に置ける中心位置が、画面中央に対して右側にずれる量を表している。従って、画面左右でバランスの良い品位を得るためには、緑縦線の右ずれ量Ｈの値がゼロとなるように補正しなければならない。
【００３８】
例えば、Ａ＝−０．１５ｍｍ、Ｂ＝０．０５のときの右ずれ量Ｈは
2004039412.tif 000003
となる。従って、左右の緑縦線の位置を共に０．１ｍｍだけ右にずらすことによって、Ａ，Ｂ共に−０．０５ｍｍとなって、画面の左右でずれが対称となってバランスの良い品位を得ることができる。
【００３９】
このような、画面左右の緑縦線のアンバランスは、特に偏向ヨーク５５の水平偏向コイルの仕様を変更した場合になどに顕著に発生する。このような画面左右の緑縦線のアンバランスは、衝立２ｃ，３ｃの高さを適切な調整することで補正できる。
【００４０】
以上のように、実施の形態１のシールドカップ電極を採用したカラー陰極線管によれば、非磁性体金属を材料とする平板状のスペーサ４，５をあらかじめ製作準備しておくことで、衝立２ｃ，３ｃの高さを調整できるので、金型修正の必要がなく、低費用且つ短い試作期間で、画面左右において緑縦線のバランスの良い高品位のカラー陰極線管を提供できる。
【００４１】
尚、前記実施例では、折り曲げ体及びスペーサを左右で異なる形状のものとしたが、全く同一に形成することも可能であり、この場合部品の種類を減らすことができるなど、種々の態様を取りえるものである。
【００４２】
また、前記した実施の形態の説明において、「上」、「下」、「左」、「右」といった言葉を使用したが、これらは便宜上であって、カラー陰極線管を配置する状態における絶対的な位置関係を限定するものではない。
【００４３】
【発明の効果】
請求項１及び２のカラー陰極線管によれば、衝立部材の側壁部に発生する渦電流が容易に調整できるため、水平偏向磁界によるＢ及びＲビームに対する各ビーム偏向を調整して、Ｇビームに対するビーム偏向とのバランスを調整することが可能となる。これにより、低費用且つ短い試作期間で、画面左右において緑縦線のバランスの良い高品位のカラー陰極線管を提供できる。
【００４４】
請求項３のカラー陰極線管によれば、請求項１、２の効果に加え、使用するスペーサの枚数を減らし、且つ精度の高い調整を行うことできる。
【００４５】
請求項４のカラー陰極線管によれば、衝立部材が確実に固定されるため、装置の信頼性を向上することができる。
【図面の簡単な説明】
【図１】本発明のカラー陰極線管に採用されるシールドカップ電極の実施の形態１の構成を示す構成図で、同図（ａ）はその正面図であり、同図（ｂ）は側面図である。
【図２】（ａ）は折り曲げ体３を単体で示し、（ｂ）はこの折り曲げ体３の取り付けに用いるスペーサ５の形状を示す構成図である。
【図３】緑縦線の右ずれ量を説明する説明図で、画面中央でスタティックコンバーゼンスを調整した後の状態を示している。
【図４】従来のカラー陰極線管５０の要部構成を示す側面図である。
【図５】従来のシールドカップ電極５６の構成を示す構成図で、同図（ａ）は、その正面図であり、同図（ｂ）は側面図である。
【符号の説明】
１　シールドカップ電極、　２　折り曲げ体、　２ａ　電子ビーム通過孔、　２ｂ　溶接部、　２ｃ　衝立、　２ｄ　底面部、　３　折り曲げ体、　３ａ　電子ビーム通過孔、　３ｂ　溶接部、　３ｃ　衝立、　３ｄ　底面部、　４，５　スペーサ、　５ａ　電子ビーム通過孔、　５ｂ　溶接部、　５０　カラー陰極線管、　５１　パネルガラス部、　５２　ファンネル部、　５３　ネック部、　５４　インライン型電子銃、　５５　偏向ヨーク、　５６　シールドカップ電極、５７　カップ電極本体、　５７ａ　底面部、　５７ｂ　シールド部、　５８　折り曲げ体、　５８ａ　水平方向板部、　５８ｂ　電子ビーム通過孔、　５８ｃ衝立、　５８ｄ　垂直方向板部、　５８ｅ　溶接部、　５９　電子ビーム通過孔、　６０　蛍光画面、　６１　Ｂビーム、　６２　Ｇビーム、　６３　Ｒビーム、　６５　水平偏向磁界、　６６　渦電流、　６７　渦電流磁界。
【図１】
2004039412.tif 000004
【図２】
2004039412.tif 000005
【図３】
2004039412.tif 000006
【図４】
2004039412.tif 000007
【図５】
2004039412.tif 000008